(57)【要約】【課題】広告の視認率を上げ、宣伝効果を高めることができる、広告支援サーバおよび広告支援システムを提供する。【解決手段】広告支援システム１は、広告支援サーバ２と、広告主体端末３と、広告代理店端末４と、広告の視認者であり、写真データの提供者であるユーザが利用するユーザ端末５を備える。また、広告支援サーバ２は、広告主体端末３や広告代理店端末４から、インターネット６を介して、広告主体に関する依頼情報を受信する依頼情報受信部７を有する。また、広告支援サーバ２は、写真データの掲載を希望するユーザのユーザ端末５から、インターネット６を介してユーザに関する情報及び写真データを受信するユーザ情報受信部８を有する。【選択図】図１
2014071837.tif 000002
【特許請求の範囲】
【請求項１】
広告主体に関する情報である依頼情報を依頼者端末から通信回線を介して受信する依頼情報受信部と、
ユーザ情報及び写真データをユーザ端末から通信回線を介して受信するユーザ情報受信部と、
該ユーザ情報受信部が受信したユーザ情報と写真データを記録するユーザ情報記録部と、
前記依頼情報受信部が受信した依頼情報を基準として、前記ユーザ情報記録部に広告主体に適した写真データが存在する場合に、前記ユーザ情報記録部から広告主体に適した写真データを選択する写真データ選択部と、
該写真データ選択部が選択した写真データに基づいて写真掲載面を作成する写真掲載面作成部とを備える
広告支援サーバ。
【請求項２】
前記写真データ選択部は、広告主体が所在する一定の地域を基準として写真データを選択する
請求項１に記載の広告支援サーバ。
【請求項３】
前記ユーザ情報記録部に広告主体に適した写真データが存在しない場合に、広告主体が所在する一定の地域に居住するユーザの写真データを募集する内容の告知を行う告知手段を有する
請求項１または請求項２に記載の広告支援サーバ。
【請求項４】
ユーザ端末からの写真データの掲載を希望する送信要求に応じて、ユーザ情報及び写真データの入力フォームを送信する入力フォーム送信部を有する
請求項１、請求項２または請求項３に記載の広告支援サーバ。
【請求項５】
前記写真データ選択部が選択した写真データを依頼者端末へ通信回線を介して送信する写真データ送信部と、
該写真データ送信部が送信した写真データの中から、依頼者が掲載を希望する写真データとして選択した掲載写真データを依頼者端末から通信回線を介して受信する掲載写真データ受信部とを有する
請求項１、請求項２、請求項３または請求項４に記載の広告支援サーバ。
【請求項６】
前記写真掲載面作成部が作成した写真掲載面を依頼者端末に通信回線を介して送信する写真掲載面送信部を有する
請求項１、請求項２、請求項３、請求項４または請求項５に記載の広告支援サーバ。
【請求項７】
前記写真掲載面作成部が写真掲載面を作成した後に、前記ユーザ情報記録部に記録した写真データが広告主体の広告に掲載される旨の掲載情報をユーザ端末に通信回線を介して送信する掲載情報送信部を有する
請求項１、請求項２、請求項３、請求項４、請求項５または請求項６に記載の広告支援サーバ。
【請求項８】
前記写真掲載面作成部が作成した写真掲載面を記録する写真掲載面記録部を有する
請求項１、請求項２、請求項３、請求項４、請求項５、請求項６または請求項７に記載の広告支援サーバ。
【請求項９】
前記写真データ選択部が選択した写真データを外部から閲覧可能な状態にする写真データ公開部を有する
請求項１、請求項２、請求項３、請求項４、請求項５、請求項６、請求項７または請求項８に記載の広告支援サーバ。
【請求項１０】
依頼者端末と、
ユーザ端末と、
広告主体に関する情報である依頼情報を前記依頼者端末から通信回線を介して受信する依頼情報受信部と、ユーザ情報及び写真データを前記ユーザ端末から通信回線を介して受信するユーザ情報受信部と、該ユーザ情報受信部が受信したユーザ情報と写真データを記録するユーザ情報記録部と、前記依頼情報受信部が受信した依頼情報を基準として、前記ユーザ情報記録部に広告主体に適した写真データが存在する場合に、前記ユーザ情報記録部から広告主体に適した写真データを選択する写真データ選択部と、該写真データ選択部が選択した写真データに基づいて写真掲載面を作成する写真掲載面作成部とを有する広告支援サーバとを備える
広告支援システム。
【請求項１１】
広告主体に関する情報である依頼情報を受信する依頼情報受信工程と、
受信した前記依頼情報を基準として、広告主体に適した写真データが存在する場合に、広告主体に適した写真データを選択する写真データ選択工程と、
選択した写真データに基づいて写真掲載面を作成する写真掲載面作成工程とを備える
広告支援方法。
【発明の詳細な説明】
【技術分野】
【０００１】
本発明は広告支援サーバ、広告支援システムおよび広告支援方法に関する。詳しくは、広告の視認率を上げ、宣伝効果を高める広告支援サーバ、広告支援システムおよび広告支援方法に係るものである。
【背景技術】
【０００２】
顧客の集客や製品の売上増加を目的として、様々な媒体を用いて広告が行われている。広告には、新聞への折込みチラシを始め、テレビＣＭ、インターネットや携帯電話等のネットワークを介しての情報提供など種々の形態が存在する。
【０００３】
こうしたなか、視認する者の興味を引きつけ、広告の宣伝効果を高めるために、インターネット上で、ＰＲしたい企業や製品に関するクイズを出題し、全問正解であった場合に懸賞金を送るサイトを利用した広告情報提供システムが存在する。このような広告情報提供システムとして、例えば、特許文献１に記載の広告情報提供システムが提案されている。
【０００４】
ここで、特許文献１には、図４に示すような広告情報提供システムが示されている。広告情報提供システム１００は、インターネット１０１を介して、複数の広告企業サーバ１０２、広告支援企業サーバ１０３及びユーザ端末１０４が相互に接続されている。
【０００５】
そして、広告企業サーバ１０２は自社に関するクイズの問題と広告内容を広告支援企業サーバ１０３に送信する。広告支援企業サーバ１０３はユーザ情報を広告企業サーバ１０２に送信し、懸賞金ポータルサイトをユーザ端末１０４のブラウザに表示する。また、図には示さないが、クイズ選択手段と、全問正解した場合にユーザに懸賞金を送金する手段を有している。
【先行技術文献】
【特許文献】
【０００６】
【特許文献１】特開２０１０−９２５０４号公報
【発明の概要】
【発明が解決しようとする課題】
【０００７】
しかしながら、特許文献１に記載された広告情報提供システムでは、クイズに取り組む間は視認する者の興味を引きつけることができるが、その効果は一時的なものにすぎず、企業等に関する広告内容を印象づけることは難しい。
【０００８】
また、懸賞金を提示することで、クイズに正解できなかった場合、参加した視認者に、逆に悪い印象を与えてしまうおそれもある。
【０００９】
一方で、従来の広告方法である新聞への折込みチラシでは、広告の中身を見られる前に廃棄されてしまうことが考えられる。中身を見られた場合であっても、顧客の興味を引く内容でなければ広告の内容を強く印象づけることは難しく、思うように宣伝効果が上がらないという不都合が存在する。
【００１０】
また、広告内容のみを記載した折込みチラシでは、広告の見栄えにおいて、競合他社との差別化が難しく、他社のチラシの中に埋もれてしまうということもある。
【００１１】
本発明は、以上の点に鑑みて創案されたものであり、広告の視認率を上げ、宣伝効果を高める広告支援サーバ、広告支援システムおよび広告支援方法を提供することを目的とする。
【課題を解決するための手段】
【００１２】
上記の目的を達成するために、本発明の広告支援サーバは、広告主体に関する情報である依頼情報を依頼者端末から通信回線を介して受信する依頼情報受信部と、ユーザ情報及び写真データをユーザ端末から通信回線を介して受信するユーザ情報受信部と、該ユーザ情報受信部が受信したユーザ情報と写真データを記録するユーザ情報記録部と、前記依頼情報受信部が受信した依頼情報を基準として、前記ユーザ情報記録部に広告主体に適した写真データが存在する場合に、前記ユーザ情報記録部から広告主体に適した写真データを選択する写真データ選択部と、該写真データ選択部が選択した写真データに基づいて写真掲載面を作成する写真掲載面作成部とを備える。
【００１３】
また、上記の目的を達成するために、本発明の広告支援システムは、依頼者端末と、ユーザ端末と、広告主体に関する情報である依頼情報を前記依頼者端末から通信回線を介して受信する依頼情報受信部と、ユーザ情報及び写真データを前記ユーザ端末から通信回線を介して受信するユーザ情報受信部と、該ユーザ情報受信部が受信したユーザ情報と写真データを記録するユーザ情報記録部と、前記依頼情報受信部が受信した依頼情報を基準として、前記ユーザ情報記録部に広告主体に適した写真データが存在する場合に、前記ユーザ情報記録部から広告主体に適した写真データを選択する写真データ選択部と、該写真データ選択部が選択した写真データに基づいて写真掲載面を作成する写真掲載面作成部とを有する広告支援サーバとを備える。
【００１４】
ここで、広告主体に関する情報である依頼情報を依頼者端末から通信回線を介して受信する依頼情報受信部によって、広告の主体となる企業等の情報を受信することができる。ここでいう依頼情報とは、広告主体となる企業等が所在する地域に関する情報を含むものである。
【００１５】
また、ユーザ情報及び写真データをユーザ端末から通信回線を介して受信するユーザ情報受信部によって、ユーザに関する情報と、ユーザが掲載を希望する写真のデータを受信することができる。
【００１６】
また、ユーザ情報受信部が受信したユーザ情報と写真データを記録するユーザ情報記録部によって、受信したユーザに関する情報及びユーザが掲載を希望する写真のデータをサーバ内に保存することができる。
【００１７】
また、依頼情報受信部が受信した依頼情報を基準として、ユーザ情報記録部に広告主体に適した写真データが存在する場合に、ユーザ情報記録部から広告主体に適した写真データを選択する写真データ選択部によって、広告主体に適したユーザの写真データを選択することができる。
【００１８】
また、写真データ選択部が選択した写真データに基づいて写真掲載面を作成する写真掲載面作成部によって、選択した写真データを掲載する写真掲載面を作成することができる。写真掲載面とは、広告を視認したものの興味を引き付けるための写真が掲載された紙面を意味する。なお、写真掲載面は、広告の全面に掲載されるものでもよいし、広告の一部に掲載されるものでもよい。
【００１９】
また、写真データ選択部が、広告主体が所在する一定の地域を基準として写真データを選択する場合には、依頼情報の中の広告主体となる企業等が所在する地域を基準に、その地域範囲に居住するユーザから受信した写真データを選択することができる。写真データを採用されたユーザは、広告主体の企業等に対して、親しみを感じ、ユーザを広告主体の固定客にしやすくすることができる。
【００２０】
また、ユーザ情報記録部に広告主体に適した写真データが存在しない場合に、広告主体が所在する一定の地域に居住するユーザの写真データを募集する内容の告知を行う告知手段を有する場合には、早急に必要な写真データを募集することができる。即ち、電子メールやウェブサイト上で、写真データを募集する旨の告知を行い、写真データを集めることができる。
【００２１】
また、ユーザ端末からの写真データの掲載を希望する送信要求に応じて、ユーザ情報及び写真データの入力フォームを送信する入力フォーム送信部を有する場合には、ユーザが自身の情報と写真データをサーバに送信するための入力フォームをユーザ端末にダウンロードすることができる。
【００２２】
また、写真データ選択部が選択した写真データを依頼者端末へ通信回線を介して送信する写真データ送信部と、写真データ送信部が送信した写真データの中から、依頼者が掲載を希望する写真データとして選択した掲載写真データを依頼者端末から通信回線を介して受信する掲載写真データ受信部とを有する場合には、広告の依頼者に写真データを提示し、その中から、依頼者が希望する写真データを選択してもらうことできる。
【００２３】
また、写真掲載面作成部が作成した写真掲載面を依頼者端末に通信回線を介して送信する写真掲載面送信部を有する場合には、広告の依頼者に対して、通信回線を通じて、写真データを掲載した写真掲載面を送信することができる。
【００２４】
また、写真掲載面作成部が写真掲載面を作成した後に、ユーザ情報記録部に記録した写真データが広告主体の広告に掲載される旨の掲載情報をユーザ端末に通信回線を介して送信する掲載情報送信部を有する場合には、写真データを提供したユーザに対して、写真データが掲載される旨を伝えることができる。
【００２５】
また、写真掲載面作成部が作成した写真掲載面を記録する写真掲載面記録部を有する場合には、写真データを掲載した紙面をサーバ内に保存することができる。このことによって、掲載履歴がある写真データを確認することができ、写真データを重複して使用することを防ぎやすくすることができる。また、継続して依頼がくる広告主体については、過去の写真掲載面が確認でき、例えば、連載型などの写真掲載面の作成に役立てることができる。
【００２６】
また、写真データ選択部が選択した写真データを外部から閲覧可能な状態にする写真データ公開部を有する場合には、選択した写真データを外部に公開することができる。このことにより、写真データを誰でも自由に見ることが可能になり、写真を提供したユーザをより満足させることができる。また、写真データと一緒に広告主体に関する情報を記載することで宣伝効果を高めることができる。
【００２７】
また、上記の目的を達成するために、本発明の広告支援方法は、広告主体に関する情報である依頼情報を受信する依頼情報受信工程と、受信した前記依頼情報を基準として、広告主体に適した写真データが存在する場合に、広告主体に適した写真データを選択する写真データ選択工程と、選択した写真データに基づいて写真掲載面を作成する写真掲載面作成工程とを備える。
【００２８】
ここで、広告主体に関する情報である依頼情報を受信する依頼情報受信工程を有することによって、広告の主体となる企業等の情報を受信することができる。
【００２９】
また、受信した前記依頼情報を基準として、広告主体に適した写真データが存在する場合に、広告主体に適した写真データを選択する写真データ選択工程を有することによって、広告主体に適した写真データを選択することができる。
【００３０】
また、選択した写真データに基づいて写真掲載面を作成する写真掲載面作成工程を有することによって、写真データを必要に応じて加工して、写真掲載面を作成することができる。
【発明の効果】
【００３１】
本発明に係る広告支援サーバは、広告の視認率を上げ、宣伝効果を高めることができる。
本発明に係る広告支援システムは、広告の視認率を上げ、宣伝効果を高めることができる。
本発明に係る広告支援方法は、広告の視認率を上げ、宣伝効果を高めることができる。
【図面の簡単な説明】
【００３２】
【図１】本発明を適用した広告支援システムの構成の一例を示す概略図である。
【図２】広告支援システムによる広告支援の流れの一例を示す概略図である。
【図３】広告支援紙面の一例を示す概略図である。
【図４】従来の広告支援システムを示す概略図である。
【発明を実施するための形態】
【００３３】
以下、本発明の実施の形態について図面を参照しながら説明し、本発明の理解に供する。
図１は、本発明を適用した広告支援システムの構成の一例を示す概略図である。
【００３４】
図１に示すように、本発明を適用した広告支援システム１は、広告支援サーバ２と、広告主体端末３（依頼者端末の一例である。）と、広告代理店端末４（依頼者端末の一例である。）と、広告の視認者であり、写真データの提供者であるユーザが利用するユーザ端末５を備える。
【００３５】
ここで、必ずしも、依頼者端末は、広告主体端末３と広告代理店端末４の両方が存在する必要はなく、どちらか一方のみが存在する場合もある。即ち、広告主体から直接、依頼を受ける場合には広告主体端末３のみが存在することになる。一方、広告代理店を介して依頼を受ける場合で、広告代理店のみとやり取りを行う場合には広告代理店端末４のみが存在することになる。さらには、広告代理店を介しての依頼を受ける場合で、広告主体ともやり取りを行う場合には、広告主体端末３と広告代理店端末４の両方が存在することになる。
【００３６】
また、図１に示すように、広告支援サーバ２は、広告主体端末３や広告代理店端末４から、インターネット（通信回線の一例である。）６を介して、広告主体に関する依頼情報を受信する依頼情報受信部７を有する。
【００３７】
ここで「広告主体に関する依頼情報」とは、広告主体が所在する一定の地域範囲に関する情報を含むものである。また、依頼情報には、広告主体が所在する一定の地域だけでなく、広告主体が広告を提供することを希望する地域を含むこともある。ここで、「広告主体」と「地域範囲」とは、例えば、広告主体がスーパーマーケットの店舗である場合は、地域範囲は、その店舗の折込みチラシが配布される範囲や、店舗周辺の集客が見込める範囲が該当するものになる。
【００３８】
また、広告支援サーバ２は、ユーザ端末５からの写真データの掲載を希望する送信要求に応じて、ユーザ情報及び写真データの入力フォームを送信する入力フォーム送信部１４を有する。
【００３９】
また、広告支援サーバ２は、写真データの掲載を希望するユーザのユーザ端末５から、インターネット６を介してユーザに関する情報及び写真データを受信するユーザ情報受信部８を有する。
【００４０】
また、広告支援サーバ２は、ユーザ情報受信部が受信したユーザに関する情報及び写真データを記録するユーザ情報データベース（ユーザ情報記録部の一例である。）９を有する。
【００４１】
ここで、必ずしも、広告支援サーバ２は入力フォーム送信部１４を有する必要はなく、ユーザから写真データを収集できれば、どのような手段を用いてもよい。
【００４２】
また、広告支援サーバ２は、依頼情報を基準として、広告主体に適した写真データが存在する場合に、ユーザ情報データベース９の中から写真データを選択する写真データ選択部１０を有する。
【００４３】
また、広告支援サーバ２は、広告主体に適した写真データが存在しなかった場合に、電子メールやウェブサイトなどで写真データを募集する告知を行う告知手段１１を有する。
【００４４】
ここで、「広告主体に適した写真データ」であるかの基準として、例えば、次の（１）〜（３）のような組み合わせが考えられる。（１）折込みチラシが配布される範囲で適否を判断する場合は、ユーザの住所が、折込みチラシが配布される地域範囲に含まれるかが基準となる。（２）広告に掲載する商品の購買層の範囲で適否を判断する場合は、ユーザの属性が基準となる。例として、お酒の広告に関するものであれば、２０歳以上のユーザ向けのものかどうか、ランドセルの広告に関するものであれば、小学１年生になる子どもとその親等に向けたものであるかが基準となる。（３）商品内容への合致で適否を判断する場合は、写真データの内容が基準となる。例として、ユーザの飼っているペット写真を集めた場合に、広告に掲載する商品が大型犬用のドッグフードであれば、写真データの内容は大型犬に限定されることなどが考えられる。
【００４５】
また、広告支援サーバ２は、写真データ選択部が選択した写真データを、インターネット６を介して広告主体端末３と広告代理店端末４に送信する候補写真データ送信部（写真データ送信部の一例である。）１２を有する。また、送信された写真データの中から、広告主体が選択した掲載を希望する写真データを、広告主体端末３や広告代理店端末４からインターネット６を介して受信する掲載希望写真データ受信部（掲載写真データ受信部の一例である。）１３を有する。
【００４６】
ここで、広告支援サーバ２は、必ずしも、告知手段１１を有する必要はない。但し、広告主体に適した写真データを集めやすくし、ユーザの広告に対する視認率を高める点から、広告支援サーバ２が告知手段１１を有することが好ましい。
【００４７】
また、広告支援サーバ２は、必ずしも、候補写真データ送信部１２と掲載希望写真データ受信部１３を有する必要はない。但し、広告主体が掲載を希望する写真データを掲載紙面に反映することができ、より広告主体の希望に沿った広告支援が可能となる点から、広告支援サーバ２は候補写真データ送信部１２と掲載希望写真データ受信部１３を有することが好ましい。
【００４８】
また、必ずしも、写真データ選択部が選択した写真データが、広告主体端末３と広告代理店端末４の双方に送信される必要はない。両者のいずれか一方に写真データが送信されれば充分であり、広告代理店を介して依頼を受けた場合、通常は、広告代理店端末４にのみに送信されることが考えられる。
【００４９】
また、図１に示すように、広告支援サーバ２は、写真データ選択部１０が選択した写真データまたは掲載希望写真データ受信部１３が受信した写真データに基づいて、写真データを加工して、広告支援紙面（写真掲載面の一例である。）データを作成する広告支援紙面作成部（写真掲載面作成部の一例である。）１５を有する。
【００５０】
また、広告支援サーバ２は、広告支援紙面作成部１５で作成した広告支援紙面データを記録する広告支援紙面データベース（ユーザ情報記録部の一例である。）１６を有する。
【００５１】
ここで、広告支援紙面データが利用される媒体は、折込みチラシなどの紙媒体に限定されるものではない。紙媒体は一例にすぎず、写真データを利用できるもの、例えば、広告用の電子メールなどに電子データとして添付される場合なども考えられる。
【００５２】
また、必ずしも、広告支援紙面データを作成する際に、写真データを加工する必要はない。但し、広告支援紙面の見栄えが良くなる点及び写真データに提供者であるユーザ情報を記載できる点から、広告支援紙面データを作成する際に写真データが加工されることが好ましい。
【００５３】
また、必ずしも、広告支援サーバ２が広告支援紙面データベース１６を有する必要はない。但し、作成した広告支援紙面を確認することができ、次の依頼への対応を効率のよいものにすることができる点から、広告支援サーバ２が広告支援紙面データベース１６を有することが好ましい。
【００５４】
また、図１に示すように、広告支援サーバ２は、インターネット６を介して、広告主体端末３や広告代理店端末４に、作成した広告支援紙面データを送信する広告支援紙面データ送信部（写真掲載面送信部の一例である。）１７を有する。
【００５５】
また、広告支援サーバ２は、インターネット６を介して、広告支援紙面に提供した写真が掲載されるユーザのユーザ端末５に、写真データが掲載される旨の情報を送信する掲載情報送信部１８を有する。
【００５６】
また、広告支援サーバ２は、写真データ選択部１０が選択した写真データまたは掲載希望写真データ受信部１３が受信した写真データを、インターネット６を介して、外部に公開する写真データ公開部１９を有する。公開は、外部のウェブサイト上に、サーバ内のユーザ情報記録部の中の該当する写真データへのリンク付けをすることや、レンタルサーバ上のウェブサイトに写真データを掲載することにより行われる。
【００５７】
ここで、広告支援サーバ２は、必ずしも、広告支援紙面データ送信部１７を有する必要はない。但し、広告主体や広告代理店等の依頼者に対して、迅速に広告支援紙面データを送信することができる点から、広告支援サーバ２が広告支援紙面データ送信部１７を有することが好ましい。
【００５８】
また、広告支援サーバ２は、必ずしも、掲載情報送信部１８を有する必要はない。但し、写真を提供したユーザが、自身の写真が広告に掲載されることを知ることができ、よりユーザの満足を得られることができる点から、広告支援サーバ２が掲載情報送信部１８を有することが好ましい。
【００５９】
また、広告支援サーバ２は、必ずしも、写真データ公開部１９を有する必要はない。但し、写真データを誰でも自由に見ることが可能になり、写真を提供したユーザをより満足させることができる点及び写真データと一緒に広告主体に関する情報を記載することで宣伝効果を高めることができる点から、広告支援サーバ２が写真データ公開部１９を有することが好ましい。
【００６０】
以下、上記の様に構成された広告支援システムについて図面を参照しながら説明する。
図２は、広告支援システムによる広告支援の流れの一例を示す概略図である。図３は、広告支援紙面の一例を示す概略図である。
【００６１】
図２に示すように、まず、広告主体または広告代理店のいずれかから、広告支援紙面の作成依頼の情報を、インターネット６を介して電子メールで、依頼情報受信部７にて広告支援サーバ２が受信する（ステップＳ１）。ここでは、広告支援紙面を新聞への折込みチラシに対して作成する場合を例として挙げる。
【００６２】
また、写真データを掲載してほしいユーザは、ユーザ端末５を使って、広告支援サーバのウェブサイトにアクセスする。また、ウェブサイト上で、広告支援サーバ２に対して送信要求を行い、ユーザ情報及び写真データの入力フォームをダウンロードする。広告支援サーバ２は、入力フォーム送信部１４により、入力フォームをユーザ端末５に送信する。
【００６３】
ここで写真データとして、ユーザの飼っているペットの写真が掲載されたものを写真データの一例として挙げる。なお、写真データはペットの写真に限定されるものでなく、ユーザが掲載を希望するものや、広告主体の希望するジャンルの写真データを採用することができる。
【００６４】
また、ユーザが入力フォームに自身のユーザ情報とペット写真データを入力し、広告支援サーバ２にインターネット６を介して送信する。広告支援サーバ２のユーザ情報受信部７にて、ユーザ情報とペット写真データを受信し、これらはユーザ情報データベース９に記録される（ステップＳ２）。
【００６５】
そして、広告主体に適したペット写真データが存在する場合には、広告支援サーバ２の写真データ選択部１０が、広告主体に関する依頼情報に基づいて、広告主体の所在する地域範囲に居住するユーザのペット写真データを掲載する写真データとして選択する（ステップＳ３）。
【００６６】
ここで、広告主体に適したペット写真データが存在しない場合には、電子メールやウェブサイト上に、広告主体の所在する地域に居住するユーザのペット写真を早急に募集している旨の情報をユーザに告知する。
【００６７】
また、広告主体に写真を選択してもらう場合には、写真データ選択部１０が選択した複数のペット写真データを、候補写真データ送信部１２が広告主体端末３または広告代理店端末４に送信する。広告主体が掲載するペット写真として選択した写真データを、広告主体端末３または広告代理店端末４からインターネット６を介して送信し、広告支援サーバ２の掲載希望写真データ受信部１３が受信する。
【００６８】
また、写真データ選択部１０が選択したペット写真データまたは掲載希望写真データ受信部１３が受信した写真データに基づいて、広告支援紙面作成部１５が、図３に示すような広告支援紙面を作成する（ステップＳ４）。ペット写真データは、掲載する紙面に応じて加工することもできる。ここでは、紙面上のレイアウトを決定したり、ユーザ情報を追加したりすることができる。
【００６９】
また、依頼の内容によっては、広告支援紙面のみならず、広告内容を掲載した広告面の作成も併せて行う場合もある。これは、広告主体から直接、広告面と広告支援紙面の作成の依頼を受けた場合や、広告代理店を介する依頼で、同様の依頼を受けた場合である。この場合は、広告内容に関する広告面も作成する。
【００７０】
図３に示すように、広告支援紙面には、ペット写真２０、ユーザ情報２１（例えば、飼い主名など）、広告主体情報２２を掲載することができる。ここで、図３では、広告支援紙面は広告の一面を占める構成となっているが、必ずしも、紙面の全面に作成される必要はない。例えば、紙面の一部にペット写真２０及びユーザ情報２１が掲載された広告支援紙面として、残りの紙面に広告内容を記載することもできる。
【００７１】
また、作成された広告支援紙面は、広告支援サーバ２の広告支援紙面データベース１６に記録される。
【００７２】
また、作成された広告支援紙面は、広告支援サーバ２の広告支援紙面データ送信部１７により、広告主体端末３または広告代理店端末４に送信される（ステップＳ６−１）。また提供されたペット写真が広告支援紙面に掲載される旨の情報を、広告支援サーバ２の掲載情報送信部１８により、該当するペット写真を提供したユーザのユーザ端末５に送信する（ステップＳ６−２）。
【００７３】
また、広告支援紙面に掲載するペット写真データは、広告支援サーバ２の写真データ公開部１９により、インターネット６を介して、外部に公開することもできる（Ｓ６−３）。写真データの公開先としては、ＳＮＳやホームページ、ブログなどに掲載する。また、外部のウェブサイトにリンクを貼り付けて、広告支援サーバ２の該当するペット写真データと結びつけることもできる。
【００７４】
また、ペット写真データは、インターネット６を介して外部に公開されるため、折込みチラシを受け取る新聞購読者だけでなく、より多くのユーザに対してペット写真をアピールすることができ、これと関連した広告内容についても、視認率を高めることができる。
【００７５】
また、フリーペーパーや雑誌などの企画と連動させてペット写真データを掲載することもできる。この場合には、同一のユーザに対して、複数の商品やサービスを宣伝することができる。
【００７６】
また、ペット写真データが採用されたユーザは、ペット写真データが掲載された広告の広告主体に対し、親しみを感じ、ユーザを広告主体の店舗等の固定客にしやすくすることができる。また、依頼をしてくる広告主体に対しては、「癒し」や「地域密着」が提供できる広告支援システムであることをアピールすることができる。
【００７７】
以上のように、本発明の広告支援システムは、広告主体が所在する地域に居住するユーザの写真データを利用することで、ユーザの興味を引き付け、ユーザの視認率を高めることができる。また、提示した写真データが掲載されたユーザとその写真データが掲載された広告の広告主体との間に繋がりをつくり、ユーザを固定客にしやすくすることができる。
【００７８】
従って、本発明に係る広告支援サーバは、広告の視認率を上げ、宣伝効果を高めることができる。
また、このような広告支援サーバを備えた本発明の広告支援システムも、広告の視認率を上げ、宣伝効果を高めることができる。
また、本発明に係る広告支援方法も、広告の視認率を上げ、宣伝効果を高めることができる。
【符号の説明】
【００７９】
１      広告支援システム
２      広告支援サーバ
３      広告主体端末
４      広告代理店端末
５      ユーザ端末
６      インターネット
７      依頼情報受信部
８      ユーザ情報受信部
９      ユーザ情報データベース
１０      写真データ選択部
１１      告知手段
１２      候補写真データ送信部
１３      掲載希望写真データ受信部
１４      入力フォーム送信部
１５      広告支援紙面作成部
１６      広告支援紙面データベース
１７      広告支援紙面データ送信部
１８      掲載情報送信部
１９      写真データ公開部
２０      ペット写真
２１      ユーザ情報
２２      広告主体情報
【図１】
2014071837.tif 000003
【図２】
2014071837.tif 000004
【図３】
2014071837.tif 000005
【図４】
2014071837.tif 000006